(57)【要約】【課題】  脇の下にかく汗を十分に吸収できると共に、精神安定効果を保有させ、装着しても恥ずかしい思いをすることのない脇用汗取りパッドを提供する。【解決手段】  脇用汗取りパッド１は、天然繊維又は合成繊維から成る不織布から構成される表面層３と、前記表面層３が吸い取った汗を吸収して、保持する作用を奏するものであって、繊維状の吸水性ポリマーから成る不織布から構成される吸収層４と、合成樹脂フィルムから構成される防水層５と、から構成され、表面層３には芳香剤を内包した圧力崩壊性マイクロカプセルＭを付着させてある。美的効果を発揮させるために、脇用汗取りパッド１は、表面から見て、羽を広げた蝶のような形状に形成されている。さらに、脇の下に付着する細菌を除去するために、ナノシルバーから構成される抗菌層５を形成する。【選択図】  図１
2011195987.tif 000002
【特許請求の範囲】
【請求項１】
天然繊維又は合成繊維から成る不織布から構成される表面層と、前記表面層が吸い取った汗を吸収して、保持する作用を奏するものであって、繊維状の吸水性ポリマーから成る不織布から構成される吸収層と、合成樹脂フィルムから構成される防水層と、から構成される脇用汗取りパッドであって、前記表面層に芳香剤を付着させたことを特徴とする脇用汗取りパッド。
【請求項２】
前記表面層に芳香剤を内包した圧力崩壊性マイクロカプセルを付着させたことを特徴とする請求項１に記載の脇用汗取りパッド。
【請求項３】
表面から見て、羽を広げた蝶のような形状に形成したことを特徴とする請求項１又は２に記載の脇用汗取りパッド。
【請求項４】
前記表面層に多数の凹部を形成したことを特徴とする請求項１乃至３の何れかに記載の脇用汗取りパッド。
【請求項５】
前記表面層の表面側に均一にシリカ（ＳｉＯ２）の微粒粉末を付着させた乾燥層を形成したことを特徴とする請求項１乃至４の何れかに記載の脇用汗取りパッド。
【請求項６】
ナノシルバーから構成される抗菌層を形成したことを特徴とする請求項１乃至５の何れかに記載の脇用汗取りパッド。
【発明の詳細な説明】
【技術分野】
【０００１】
本発明は、衣服の脇部の内側に装着して、脇の下にかいた汗を吸収する脇用汗取りパッドに関するものである。
【背景技術】
【０００２】
人の脇の下は汗をかきやすく、汗が衣服に吸収され、そのまま放置されると、汗ジミや黄ばみになって、薄色の衣服、高価な衣服が台無しになる。又、夏期等にあっては、多量の汗をかくため、悪臭を放つこともあり、自身及び周囲の人々に不快感を生じさせることがある。
【０００３】
そこで、衣服の脇部の内側に装着して、脇の下にかいた汗を素早く吸収し、汗ジミや黄ばみ、又、悪臭の発生を防止するため、従来、種々形態の脇用汗取りパッドが考案され、市販されている。
【０００４】
例えば、ブラジャーの肩紐に装着ベルトによって連結するもの（特許文献１参照）、衣服の脇部の内側にクリップによって固定するもの（特許文献２参照）、衣服の脇部の内側に粘着剤によって貼着するもの（特許文献３参照）等が知られている。
【先行技術文献】
【特許文献】
【０００５】
【特許文献１】実用新案登録第３０７９７１６号公報
【特許文献２】特開２０１０−１８９０４号公報
【特許文献３】特開平８−２２６００１号公報
【発明の概要】
【発明が解決しようとする課題】
【０００６】
上記脇用汗取りパッドのうち、装着ベルトによって連結するものは、プラジャーを装着した後に、その肩紐に装着ベルトを掛け回すので、装着に時間が係り、面倒であった。クリップによって固定するものは、衣服を着た時に、クリップが脇の下に当たって、違和感があった。
【０００７】
一方、粘着剤によって貼着するものは、予め、衣服の脇部の内側に貼着するから、装着に時間が係らず、簡単である。又、クリップ等を使用しないから、衣服を着た時に、特に違和感はない。さらに、薄肉シート状に形成されているので、安価で、使い捨てにすることができ、衛生的でもある。
【０００８】
しかし、粘着剤によって貼着するものは、消臭効果を保有させたものはあるものの、脇の下に付着する細菌を除去したり、芳香を発生して精神安定効果を保有させるものはなかった。又、脇用汗取りパッドの大きさ、形状が適当でなく、脇の下にかく汗を十分に吸収できない場合もあった。又、夏期等において薄色の衣服を着る時には、脇用汗取りパッドを装着していることが直ぐにわかって、その形状に美的効果がないため、恥ずかしい思いをすることも多かった。
【０００９】
本発明は、このような問題点を解決するために為されたものであって、その目的とするところは、脇の下に付着する細菌を除去することができ、芳香を発生して精神安定効果を保有させ、脇の下にかく汗を十分に吸収でき、薄色の衣服を着る時にも、恥ずかしい思いをすることのない脇用汗取りパッドを提供することにある。
【課題を解決するための手段】
【００１０】
上記目的を達成するために、本発明の脇用汗取りパッドは、天然繊維又は合成繊維から成る不織布から構成される表面層と、前記表面層３が吸い取った汗を吸収して、保持する作用を奏するものであって、繊維状の吸水性ポリマーから成る不織布から構成される吸収層と、合成樹脂フィルムから構成させる防水層と、から構成される脇用汗取りパッドであって、前記表面層に芳香剤を付着させたことを特徴とする。
そして、前記表面層に芳香剤を付着させるには、表面層に芳香剤を内包した圧力崩壊性マイクロカプセルを付着させることが好ましい。
【００１１】
美的効果を発揮させるために、脇用汗取りパッドを、表面から見て、羽を広げた蝶のような形状に形成したことを特徴とする。
【００１２】
前記表面層に多数の凹部を形成しておけば、脇の下との密着性を低減することができるから、脇用汗取りパッドとの接触感を良好にすることができる。
【００１３】
前記表面の表面側に均一にシリカ（ＳｉＯ２）の微粒粉末を付着させた乾燥層を形成すれば、脇の下を乾燥させる効果が大きい。
【００１４】
さらに、脇の下に付着する細菌を除去するために、ナノシルバーから構成される抗菌層を形成するのが好ましい。
【発明の効果】
【００１５】
本発明の脇用汗取りパッドによれば、脇の下に付着する細菌を除去することができ、芳香を発生して精神安定効果を保有させ、脇の下にかく汗を十分に吸収でき、薄色の衣服を着る時にも、恥ずかしい思いをすることはない。
【図面の簡単な説明】
【００１６】
【図１】本発明の脇用汗取りパッドの表面図である。
【図２】本発明の脇用汗取りパッドの裏面図である。
【図３】本発明の脇用汗取りパッドの断面図である。
【図４】圧力崩壊性マイクロカプセルの概略図である。
【図５】本発明の脇用汗取りパッドの使用方法を示す説明図である。
【図６】本発明の脇用汗取りパッドの使用状態を示す説明図である。
【発明を実施するための形態】
【００１７】
以下、本発明の脇用汗取りパッドの好適な実施形態について、図面を参照して詳細に説明する。
図１は、本発明の脇用汗取りパッドの表面図、図２は、本発明の脇用汗取りパッドの裏面図、図３は、本発明の脇用汗取りパッドの断面図、図４は、圧力崩壊性マイクロカプセルの概略図である。
【００１８】
本発明の脇用汗取りパッド１は、図１乃至図３に示すように、表面側から乾燥層２、表面層３、吸収層４、抗菌層５、防水層６、粘着層７及び剥離紙８から構成される。
【００１９】
乾燥層２は、人の脇の下を乾燥させる作用を奏するものであって、後記表面層３の表面側全体に均一に付着させたシリカ（ＳｉＯ２）の微粒粉末から成るものである。
【００２０】
表面層３は、人の脇の下に接触して、汗を吸い取る作用を奏するものであって、コットン、パルプ等の天然繊維、ポリエステル、ポリエチレン、ポリプロピレン等の合成繊維から成る不織布から構成される。又、表面層３の表面側全体に、エンボス加工によって、多数の円形凹部３ａを縦横等間隔に形成してある。
本実施例においては、表面層３の厚さは約０．２ｍｍとしてある。
【００２１】
表面層３には、塗布又は印刷等によって、芳香剤を内包した圧力崩壊性マイクロカプセルを付着させてあり、これによって、芳香が発生するようになっている。
圧力崩壊性マイクロカプセルＭは、図４に示すように、内包される芯物質Ｃとそれを包囲する被覆材Ｓとから構成され、適宜圧力を負荷することによって、被覆材Ｓが崩壊して芯物質Ｃが露出する、いわゆる感圧型マイクロカプセルである。
【００２２】
芯物質Ｃとしては、芳香剤を使用し、フレッシュシトラス、オリエンタルローズ、フローラルソープ等の芳香を放散する天然芳香オイルを使用する。
被覆材Ｓとしては、芯物質Ｃを完全に封止すると共に、適宜圧力で崩壊する完全閉孔型メラミン樹脂等の圧力崩壊性ポリマーを使用する。
【００２３】
吸収層４は、前記表面層３が吸い取った汗を吸収して、保持する作用を奏するものであって、繊維状の吸水性ポリマーから成る不織布から構成される。
吸水性ポリマーとは、吸水性及び保水性が非常に高い高分子材料であって、本実施例では、セルロース−アクリロニトリルグラフト共重合体、カルボキシメチルセルロース架橋体等のセルロース系吸水性ポリマーを採用している。
本実施例においては、吸収層４の厚さは約０．５ｍｍとしてある。
【００２４】
抗菌層５は、脇の下に付着する細菌を除去する作用を奏するものであって、前記吸収層４の裏面側全体に均一に付着させた銀の微細粒子から成るものである。
ここで、銀の微細粒子としては、粒子径１〜５ｎｍの極めて小さな「ナノシルバー」と呼ぶ銀の粒子を使用している。
【００２５】
防水層６は、前記吸収層４が保持する汗が漏出しないように遮断する作用を奏するものであって、ポリエチレン、ポリプロピレン等の吸水性のない合成樹脂フィルムから成るものである。
本実施例においては、防水層６の厚さは約０．２ｍｍとしてある。
【００２６】
粘着層７は、脇用汗取りパッド１を衣服に貼着する作用を奏するものであって、前記防水層６の裏面側にホットメルト粘着剤を塗布して構成したものである。
【００２７】
剥離紙８は、前記粘着層７に当接されており、上質紙、グラシン紙等の原紙の裏面にシリコン樹脂を塗布し、熱硬化させたものである。
【００２８】
本発明の脇用汗取りパッド１は、図１及び図２に示すように、衣服に貼着された時に美的効果を発揮させるため、表面及び裏面側から見て、羽を広げた蝶のような形状に形成してある。
【００２９】
図１及び図２に示すように、表面層３の表面側には、折曲線９ａ、湾曲線９ｂ，９ｃを形成してあり、防水層６の裏面側には、折曲線１０ａ、湾曲線１０ｂ，１０ｃを形成してある。
【００３０】
又、折曲線９ａ，１０ａを境界線として、一方の側を身頃側部１１、他方の側を袖側部１２とし、身頃側部１１の面積を袖側部１２の面積よりも大としてある。
さらに、身頃側部１１を大面積部１１ａ及び小面積部１１ｂから構成し、袖側部１２も大面積部１２ａ及び小面積部１２ｂから構成してある。
【００３１】
次に、本発明の脇用汗取りパッド１の使用方法について、図面を参照して詳細に説明する。
【００３２】
先ず、図５（Ａ）に示すように、脇用汗取りパッド１の身頃側部１１を一方の手指で把持して、他方の手指で剥離紙８を剥離する。
【００３３】
そして、図５（Ｂ）に示すように、衣服５１の身頃５２の脇部５３に、身頃側部１１を貼着する。
この時、身頃側部１１の大面積部１１ａが身頃５２の正面側に位置するように、身頃側部１１を貼着する。
【００３４】
次に、脇用汗取りパッド１の袖側部１２を一方の手指で把持して、他方の手指で剥離紙８を剥離する。
【００３５】
そして、図５（Ｂ）に示すように、脇用汗取りパッド１を折曲線９ａにおいて袖側に折り曲げ、衣服５１の袖５４の脇部５３に、袖側部１１を貼着する。
この時、袖側部１２の大面積部１２ａが袖５４の正面側に位置するように、袖側部１２を貼着する。
【００３６】
以上のようにして、本発明の脇用汗取りパッド１は、衣服５１の脇部５３の内側に装着することができ、衣服５１を着用した時、人の脇の下に脇用汗取りパッド１の表面層３が当接することになる。
【００３７】
下着、肌着等の衣服５１に、上記のようにして、本発明の脇用汗取りパッド１を装着すれば、脇の下にかいた汗は表面層３を通過して、吸収層４に素早く吸収される。
又、乾燥層２によって脇の下が乾燥されるから、脇の下に汗が残って、不快感を覚えることはない。
【００３８】
人は腕を前方に位置させることが多いから、通常においては、脇の下の正面側の方に多く発汗が見られる。本発明の脇用汗取りパッド１は、身頃側部１１及び袖側部１２に大面積部１１ａ，１２ａを形成してあり、それらを身頃５２の正面側及び袖５４の正面側に位置するように貼着、使用することによって、多く発汗する部位から十分に汗を吸収することができる。
【００３９】
又、表面層３に芳香剤を内包した圧力崩壊性マイクロカプセルＭを付着してあるから、使用時に徐々に芯物質Ｃが露出して、長時間に亘って芳香を放つことができる。よって、アロマによる精神安定効果を発揮することができる。
【００４０】
さらに、ナノシルバーから成る抗菌層５を形成してあるから、脇の下に付着する細菌等を除去することができ、極めて衛生的であると共に、悪臭の発生防止効果も高い。
【００４１】
本発明の脇用汗取りパッド１は、表面層３の表面側、防水層６の裏面側に折曲線９ａ，１０ａ、湾曲線９ｂ，９ｃ，１０ｂ，１０ｃを形成してあるから、衣服５１の身頃５２と袖５４との境界部の形状に対応して適切に貼着することができて、衣服５１を着用した時に、脇部に殆ど違和感を生じない。
【００４２】
夏期に着用する衣服５１は薄手、薄色のものが多いので、どうしても脇用汗取りパッドが透けて見え、従来は、恥ずかしい思いをしていた。
しかし、本発明の脇用汗取りパッド１は、羽を広げた蝶のような形状に形成してあるから、図６に示すように、透けて見えた場合にも、かえって美的効果を発揮して、一つのファッションとすることができ、全く恥ずかしさを感じない。
【００４３】
さらに、芳香剤を種々選択することによって、フレッシュシトラス、オリエンタルローズ、フローラルソープ等の種々芳香を放散する脇用汗取りパッド１を製造することができるから、その日の気分に合わせて適宜脇用汗取りパッド１を装着することができ、装着する楽しみも大きい。
【符号の説明】
【００４４】
１  脇用汗取りパッド
２  乾燥層
３  表面層
３  円形凹部
４  吸収層
５  抗菌層
６  防水層
Ｍ  圧力崩壊性マイクロカプセル
【図１】
2011195987.tif 000003
【図２】
2011195987.tif 000004
【図３】
2011195987.tif 000005
【図４】
2011195987.tif 000006
【図５】
2011195987.tif 000007
【図６】
2011195987.tif 000008